(57)【要約】【課題】  被施療部の大きさが左右で異なっていても、左右で同じようなマッサージ感の得られるマッサージユニットを提供することである。【解決手段】  対向する２つの左右の側壁４３、４３の間に中間壁４８を立設し、中間壁４８と各側壁４３との間に被施療部を収納する一対の凹部４２、４２を設け、左右の側壁には、中間壁側に向かって被施療部を押圧するエアバック４４を設け、エアバック４４の膨張による押圧を繰り返すことにより被施療部にマッサージを施すもので、前記中間壁４８を弾性部材で構成すると共に、左右方向へ移動自在とすることで、エアバックの膨張時に、中間壁の左右の被施療部に及ぼす反力が均等になる位置に、中間壁が移動する。【選択図】    図３
2005087660.tif 000002
【特許請求の範囲】
【請求項１】
対向する２つの側壁の間に中間壁を立設し、該中間壁と各側壁との間に被施療部を収納する上面が開放された一対の凹部を設け、前記各側壁には、前記中間壁側に向かって前記凹部内に収納された被施療部を押圧する押圧体を設け、押圧体による押圧を繰り返すことにより被施療部にマッサージを施すマッサージユニットにおいて、前記中間壁を弾性部材で構成すると共に、２つの前記側壁の方向へ移動自在としたマッサージユニット。
【請求項２】
前記押圧体を空気の供給排気により膨張収縮するエアバックで構成し、該エアバックの膨張により被施療部を中間壁との間で圧迫し、エアバックの収縮により該圧迫を解放し、この圧迫と解放を繰り返すことにより被施療部にマッサージを施す請求項1に記載のマッサージユニット
【請求項３】
前記中間壁の移動をガイドするガイド体をさらに具えてなる請求項1又は請求項２に記載のマッサージユニット。
【請求項４】
請求項1乃至請求項３のいづれかに記載のマッサージユニットを、椅子のシート部前方に、上下に回動自在に配備し、前記凹部に被施療者の脚部を収納するようにしたマッサージ機。
【請求項５】
請求項1乃至請求項３のいづれかに記載のマッサージユニットを、椅子のシート部前方に上下に回動自在に連結したレッグレストの先端に配備し、前記凹部に被施療者の足先を載置するようにしたマッサージ機。
【発明の詳細な説明】
【技術分野】
【０００１】
本発明は、被施療者の脚部や足先にマッサージを施すことができるマッサージユニットに関するものである。
【背景技術】
【０００２】
被施療者が腰掛けてマッサージを受ける椅子式のマッサージ機のシート部前方に、レッグレストを上下に回動自在に配備し、このレッグレストは、対向する２つの側壁（左右の両側壁）の間に中間壁を立設し、該中間壁と各側壁との間に被施療部である脚部を収納する上面が開放された一対の凹部が形成され、前記各側壁には、前記中間壁側に向かって凹部内に収納された脚部を押圧する押圧体を設け、押圧体による押圧を繰り返すことにより脚部にマッサージを施すマッサージユニットを兼用したものが知られている。
【０００３】
例えばこのマッサージユニットの押圧体を、空気の供給排気により膨張収縮するエアバックで構成し、また左右の側壁と対面する中間壁の壁面には弾性部材を設け、エアバックの膨張により脚部をこのエアバックと弾性部材との間で圧迫し、エアバックの収縮により該圧迫を解放し、この圧迫と解放を繰り返すことにより脚部にマッサージを施すようにしたものがある。(例えば、特許文献１参照)。
【特許文献１】特許第３３７２９３８号公報
【発明の開示】
【発明が解決しようとする課題】
【０００４】
しかしながら、この特許文献に記載のものは、左右一対の各凹部内に挿入された左右の脚部の大きさの違い（これは肉体的な大きさの違いの他、シップを貼っているとか包帯を巻いている等により生ずる）により、各凹部のエアバックを同じように膨張させても、左右の脚に加わる圧力が異なりマッサージ感が若干異なるという問題があった。
【０００５】
本発明の目的は、被施療部の大きさが左右で異なっていても、左右で同じようなマッサージ感の得られるマッサージユニットを提供することである。
【課題を解決するための手段】
【０００６】
上記課題を解決するために本発明は、対向する２つの側壁の間に中間壁を立設し、この中間壁と各側壁との間に被施療部を収納する上面が開放された一対の凹部を設け、前記各側壁には、前記中間壁側に向かって凹部内に収納された被施療部を押圧する押圧体を設け、押圧体による押圧を繰り返すことにより被施療部にマッサージを施すマッサージユニットにおいて、前記中間壁を弾性部材で構成すると共に、２つの前記側壁の方向へ移動自在としたものである。
【０００７】
具体的には、前記押圧体を空気の供給排気により膨張収縮するエアバックで構成し、このエアバックの膨張により被施療部を中間壁との間で圧迫し、エアバックの収縮により該圧迫を解放し、この圧迫と解放を繰り返すことにより被施療部にマッサージを施すようにしたものである。
【０００８】
さらに前記中間壁の移動をガイドするガイド体を具えたものである。
【０００９】
また本発明は、上記したマッサージユニットを、椅子のシート部前方に、上下に回動自在に配備し、前記凹部に被施療者の脚部を収納するようにしたものである。
【００１０】
さらに本発明は、上記したマッサージユニットを、椅子のシート部前方に上下に回動自在に連結したレッグレストの先端に配備し、前記凹部に被施療者の足先を載置するようにしたものである。
【発明の効果】
【００１１】
本発明によれば、中間壁が弾性部材で構成され且つ２つの対向する側壁方向へ移動自在なので、押圧体（エアバック）を作動させて一対の凹部内にある被施療部を中間壁側へ押圧するとき、一対の被施療部が中間壁から受ける反力が釣り合うように中間壁が移動し、その結果へ、左右の被施療部は、同じ圧力を押圧体と中間壁から受け、被施療部の大きさが左右で異なっていても、左右で同じようなマッサージ感を得ることができる。また、中間壁は、マッサージユニット本体に固定する必要がなく、組立や構造を簡素化することができる。
【００１２】
また、中間壁の移動をガイドするガイド体を具えれば、中間壁の移動をスムーズに行わせることができる。
【００１３】
また上記したマッサージユニットを、椅子のシート部前方に上下に回動自在に配備して、前記凹部に被施療者の脚部が収納できるようにしたり、椅子のシート部前方に上下に回動自在に連結したレッグレストの先端に配備して、前記凹部に被施療者の足先を載置できるようにすれば、左右の脚部（ふくらはぎ）や足先（踝より先の部分）をマッサージすることができる。
【発明を実施するための最良の形態】
【００１４】
以下、本発明のマッサージユニットを、椅子式のマッサージ機に用いた例に基づき説明する。図１及び図２は、椅子式マッサージ機１０の一実施例を示す斜視図である。椅子式マッサージ機１０は、被施療者が腰掛けるシート部１１の後部に背凭れ１２、前部に被施療者の脚部（ふくらはぎ）を載置する脚部用の本発明のマッサージユニットを兼ねるレッグレスト３０、レッグレスト３０下端に被施療者の足先（踝より先の部分）を置く足先用の本発明のマッサージユニットを兼ねるフットレスト４０を具えて構成される。
背凭れ１２は、シート部１１に対して傾動可能且つ任意の位置で位置決め可能に連結される。レッグレスト３０は、シート部１１の前方に上下に回動自在に且つ任意の位置で位置決め可能に連結される。また、フットレスト４０は、レッグレスト３０に回動自在に連結される。フットレスト４０はレッグレスト３０の上方への回動に伴って上昇するが、図示しないリンク機構によって、この際フットレスト４０はレッグレスト３０が上昇しても略水平状態を保つようになっている。図２は最も持ち上げられた状態を示す。
【００１５】
背凭れ１２には、被施療者の肩、背中、腰をマッサージする公知のマッサージユニット１５が背凭れ１２に沿って昇降可能に配備される。マッサージユニット１５は、左右に一対の施療指１６、１６を具え、両施療指１６、１６を上下、左右及び／又は前後に移動させることによって、被施療者の肩等に揉みや叩きなどのマッサージを施す。背凭れ１２やシート部１１は、図示しないが布製のカバーやクッションで覆われている。
【００１６】
本発明のマッサージユニットを兼ねるレッグレスト３０は、対向する左右２つの側壁３３、３３が立設されたユニット箱体３１から形成される。２つの側壁３３、３３の中間には、これら側壁３３、３３と平行に中間壁３８が立設されている。この中間壁３８と各側壁３３との間に被施療者の左右一対のふくらはぎを収納する上面が開放された一対の凹部３２、３２が形成される。各凹部３２の外側の内側面即ち前記側壁３３には、ふくらはぎを側面から押圧するエアバック３４が配備される。エアバック３４へは、図示しない電磁バルブを介してエアポンプから空気が供給されて膨張し、また空気が排出されて収縮する。
【００１７】
一方中間壁３８は、弾性部材で構成されている。弾性部材３８は、スポンジ、ウレタン等の弾力性を有する部材から構成され、エアバック３４を膨張させたときに被施療者のふくらはぎが埋没する程度の弾力性を有する。また中間壁３８は、ユニット箱体３１に固定ではなく、左右の側壁３３方向（左右方向）に移動できるように、単にユニット箱体３１の底部に載置されている。
【００１８】
このようなマッサージユニット３０は、全体を図示しない布製のカバーで覆われており、このカバーによって、エアバック３４や中間壁３８をユニット箱体３１に固定しなくとも落下しないように配置される。
【００１９】
本発明のマッサージユニットを兼ねるフットレスト４０は、レッグレスト３０と同様に、対向する左右２つの側壁４３、４３が立設されたユニット箱体４１から形成される。２つの側壁４３、４３の中間には、これら側壁４３、４３と平行に中間壁４８が立設されている。この中間壁４８と各側壁４３との間に被施療者の左右一対の足先を収納する上面が開放された一対の凹部４２、４２が形成される。各凹部４２の外側の内側面即ち前記側壁４３には、足先を側面から押圧するエアバック４４が配備される。エアバック４４へは、図示しない電磁バルブを介してエアポンプから空気が供給されて膨張し、また空気が排出されて収縮する。
【００２０】
一方中間壁４８は、弾性部材で構成されている。弾性部材４８も弾性部材３８と同様に、スポンジ、ウレタン等の弾力性を有する部材から構成され、エアバック４４を膨張させたときに被施療者の足先が埋没する程度の弾力性を有する。また中間壁４８は、ユニット箱体４１に固定ではなく、左右の側壁４３方向（左右方向）に移動できるように、単にユニット箱体４１の底部に載置されている。
【００２１】
このようなマッサージユニット４０は、全体を図示しない布製のカバーで覆われており、このカバーによって、エアバック４４や中間壁４８をユニット箱体４１に固定しなくとも落下しないように配置される。
【００２２】
被施療者がマッサージ機１０に腰掛け、脚部(ふくらはぎ)をレッグレスト３０の凹部３２、３２に挿入し、足先をフットレスト４０の凹部４２、４２に夫々挿入した状態で、各エアバック３４や４４を膨張させると、被施療者の脚部や足先が、夫々側面エアバック３４や４４ に押されて弾性部材３８や４８ へと押し付けられて圧迫され、反対にエアバックの空気を排出して収縮させると、脚部や足先への圧迫が解放され、この圧迫と解放を繰り返すことにより、脚部や足先に揉みマッサージを施すことができる。
【００２３】
このときの様子を図３に示す。図３は、フットレスト４０を示しているが、レッグレスト３０の場合も同様である。エアバック４４の膨張により左右の足先Ａが押されて中間壁４８に埋め込まれるようになるが、中間壁４８が弾性部材で且つ左右に移動可能に配置されているので、中間壁４８は左右の足先Ａから受ける力が釣合うような位置に移動し、言いかえれば、左右の足先Ａが中間壁４８から受ける反力が同一となるような位置に移動するので、左右の足先Ａの大きさが図のように異なる場合でも、左右の足先は均等な力を受ける。従って、左右同じようなマッサージ感を得ることができる。レッグレスト３０に載置された脚部についても同様である。
【００２４】
以上の実施例では、中間壁４８をユニット箱体４１に単に載置して図示しない布製かバーで覆うことにより、左右方向に移動できるように保持しているが、図４のように、ユニット箱体４１の前後端にリブ４７、４７を突出し、このリブ４７、４７により中間壁４８の前後方向の移動は阻止し、左右方向の移動のガイドとなるようにすれば、より中間壁の動きをスムーズにすることができる。即ち、リブ４７がガイド体となる。レッグレスト３０の中間壁３８についても同様なガイド体を設けて、移動をスムーズにすることができる。
【００２５】
なお、中間壁３８や４８は、ユニット箱体３１や４１に固定してもよいが、固定より移動自在としたほうが、より確実に左右の脚部や足先に与える力を均等にすることができる。また固定する手段も必要でなく、構成の簡素化ができる。
【００２６】
上記実施例の説明は、本発明を説明するためのものであって、特許請求の範囲に記載の発明を限定し、あるいは範囲を縮減するよう解釈すべきではない。また本発明の各部構成は上記実施例に限らず、特許請求の範囲に記載の技術的範囲内で種々の変形が可能である。
【００２７】
例えば中間壁３８や４８を一つの弾性部材より構成したが、被施療部に当接する外側の弾性部材と、中央の弾性部材の３重構造としてもよい。この場合中央の弾性部材を外側の弾性部材に比べてやや硬めにすればよい。またエアバック３４や４４により被施療部を押圧するようにしたが、機械的に移動する押圧板により押圧するようにしてもよい。
【産業上の利用可能性】
【００２８】
本発明の活用例として、脚部や足先のマッサージ以外に左右の掌をマッサージする掌用マッサージ機等に活用することができる。
【図面の簡単な説明】
【００２９】
【図１】本発明のマッサージユニットを搭載した椅子式マッサージ機の斜視図である。
【図２】同マッサージ機のレッグレスト（脚部用のマッサージユニット）やフットレスト（足先用のマッサージユニット）を最上位まで持ち上げた状態を示す斜視図である。
【図３】本発明の足先用のマッサージユニットの動作を示す正面図で、中間壁をハッチングをして示す。
【図４】同マッサージユニットの他の実施例を示す側面断面図である。
【符号の説明】
【００３０】
３３  側壁
４３  側壁
３８  弾性部材（中間壁）
４８  弾性部材（中間壁）
３２  凹部
４２  凹部
３４  エアバック（押圧体）
４４  エアバック（押圧体）
４７  リブ（ガイド体）
１１  シート部
３０  レッグレスト（脚部用マッサージユニット）
４０  フットレスト（足先用マッサージユニット）
【図１】
2005087660.tif 000003
【図２】
2005087660.tif 000004
【図３】
2005087660.tif 000005
【図４】
2005087660.tif 000006